(57)【要約】【課題】本発明は、電子値段表示システム及びその運用方法に関し、さらに詳しくは複数の電子値段表示タグに対する効率的な管理及び商品情報表示が可能な電子値段表示システム及びこれに適用される商品と電子値段表示タグの同期化方法、並びに商品情報アップデート方法に関する。【解決手段】電子値段表示システムは、商品に対する商品情報を保存する管理サーバ部と、前記管理サーバ部から商品情報を含むメッセージを受信する複数のゲートウェイを含むゲートウェイ部と、及び前記ゲートウェイとそれぞれ通信する複数の電子値段表示タグとを含み、前記複数の電子値段表示タグは、前記ゲートウェイから前記商品情報を受信してディスプレイする複数の電子値段表示タグ部を含み、前記管理サーバ部は、前記電子値段表示タグ部とこれに表示される商品情報とが相互連動するデータベースを含むことができる。【選択図】図１
2011210227.tif 000002
【特許請求の範囲】
【請求項１】
商品に対する商品情報を保存する管理サーバ部と、
前記管理サーバ部から商品情報を含むメッセージを受信する複数のゲートウェイを含むゲートウェイ部と、
前記ゲートウェイとそれぞれ通信し、前記ゲートウェイから前記商品情報を受信してディスプレイする複数の電子値段表示タグを含む複数の電子値段表示タグ部と、
を備え、
前記管理サーバ部は、前記電子値段表示タグ部とこれに表示される商品情報とを相互連動させるデータベースを含むことを特徴とする電子値段表示システム。
【請求項２】
前記ゲートウェイ部が前記管理サーバ部から前記メッセージを受信できるよう、前記管理サーバ部と前記ゲートウェイ部の間の通信チャンネルを形成するインターフェース部をさらに含むことを特徴とする請求項１に記載の電子値段表示システム。
【請求項３】
前記インターフェース部と前記ゲートウェイ部は、有線ランまたは無線ラン方式で通信することを特徴とする請求項２に記載の電子値段表示システム。
【請求項４】
前記電子値段表示タグに表示される商品情報を管理するための管理者の入力を前記管理サーバ部に伝達する個人情報端末をさらに含むことを特徴とする請求項１から３の何れか１項に記載の電子値段表示システム。
【請求項５】
前記管理者の入力が前記管理サーバ部に伝達されるよう、前記個人情報端末と前記管理サーバ部の間の通信チャンネルを形成するインターフェース部をさらに含むことを特徴とする請求項４に記載の電子値段表示システム。
【請求項６】
前記インターフェース部と前記個人情報端末は、有線ランまたは無線ラン方式で通信することを特徴とする請求項５に記載の電子値段表示システム。
【請求項７】
前記ゲートウェイと前記電子値段表示タグは、ジグビー（Ｚｉｇｂｅｅ）方式で無線通信することを特徴とする請求項１から６の何れか１項に記載の電子値段表示システム。
【請求項８】
前記ゲートウェイと前記電子値段表示タグは、受信するデータの有無を表示したウェイクアップ信号を伝送するための通信チャンネルと、前記商品情報を有するデータを伝送する通信チャンネルとを含む２つの通信チャンネルを用いて通信することを特徴とする請求項１から３の何れか１項に記載の電子値段表示システム。
【請求項９】
同期化対象となる商品を識別する情報と電子値段表示タグを識別する情報とを獲得するステップと、
前記同期化対象となる商品を識別する商品識別情報と電子値段表示タグを識別する電子値段表示タグ識別情報とを含む商品同期化要請メッセージを管理サーバ部に伝達するステップと、
前記管理サーバ部で前記商品同期化要請メッセージに含まれた前記商品識別情報に該当する商品の商品情報を獲得し、前記獲得された商品情報と前記商品同期化要請メッセージに含まれた電子値段表示タグの識別情報とを含むタグ同期化要請メッセージを作成して伝送するステップと、
前記タグ同期化要請メッセージをゲートウェイで受信し、前記ゲートウェイが前記タグ同期化要請メッセージに含まれた前記電子値段表示タグ識別情報を有する電子値段表示タグへ前記タグ同期化要請メッセージに含まれた前記商品情報を伝送するステップと、
前記電子値段表示タグに伝送された前記タグ同期化要請メッセージに含まれた前記商品情報を表示するステップと、
を含む電子値段表示システムにおける商品と電子値段表示タグの同期化方法。
【請求項１０】
前記同期化対象となる商品を識別する情報は、前記同期化対象となる商品に記載のバーコードをスキャンすることによって獲得されることを特徴とする請求項９に記載の電子値段表示システムにおける商品と電子値段表示タグの同期化方法。
【請求項１１】
前記同期化対象となる電子値段表示タグを識別する情報は、前記同期化対象となる電子値段表示タグのＭＡＣアドレスであることを特徴とする請求項９に記載の電子値段表示システムにおける商品と電子値段表示タグの同期化方法。
【請求項１２】
商品の商品情報に対するアップデート要請が発生したか否かを確認するステップと、
管理サーバ部で、前記アップデート要請が発生した商品に対する新しい商品情報と前記アップデート要請が発生した商品に対する商品情報を表示する電子値段表示タグに対する識別情報とを含む商品情報変更要請メッセージを作成して伝送するステップと、
前記商品情報変更要請メッセージをゲートウェイで受信し、前記ゲートウェイが前記商品情報変更要請メッセージに含まれた前記電子値段表示タグに対する識別情報を有する電子値段表示タグへ前記商品情報変更要請メッセージに含まれた前記商品情報を伝送するステップと、
前記電子値段表示タグに伝送されたタグ同期化要請メッセージに含まれた前記商品情報を表示するステップと、
を含む電子値段表示システムにおける商品情報アップデート方法。
【請求項１３】
前記商品情報に対するアップデート要請は周期的に発生することを特徴とする請求項１２に記載の電子値段表示システムにおける商品情報アップデート方法。
【請求項１４】
前記アップデート要請が発生した商品に対する商品情報を表示する電子値段表示タグに対する識別情報は、前記アップデート要請が発生した商品に対する商品情報を表示する電子値段表示タグのＭＡＣアドレスであることを特徴とする請求項１２または１３に記載の電子値段表示システムにおける商品情報アップデート方法。
【発明の詳細な説明】
【技術分野】
【０００１】
本発明は、電子値段表示システム及びその運用方法に関し、さらに詳しくは複数の電子値段表示タグに対する効率的な管理及び商品情報表示が可能な電子値段表示システム及びこれに適用される商品と電子値段表示タグの同期化方法、並びに商品情報アップデート方法に関する。
【背景技術】
【０００２】
一般的に、売り場では商品棚に並んでいる商品に対する販売価格や割引情報、単価、原産地などのような商品情報を表示する紙ラベルが使用されている。このような紙ラベルを用いた値段表示方式は、商品情報が変更されたり商品陳列位置が変更される場合に、使用していた紙ラベルを廃棄して新しい紙ラベルを作成しなければならないため、メンテナンスに持続的なコストが発生し、さらに原資材である紙を浪費し、環境保護にも悪影響を及ぼすようになる。
【０００３】
したがって、従来の紙ラベルに代わる手段として電子値段表示機（または電子棚札（Ｅｌｅｃｔｒｏｎｉｃ  Ｓｈｅｌｆ  Ｌａｂｅｌ：ＥＳＬ））に対する研究及び開発が積極的に行われている。
【０００４】
上記電子値段表示機は、売り場の商品棚に配置されて様々な値段情報をＬＣＤのようなディスプレイ手段により表示し、陳列中の商品の情報が変更されたり商品の陳列位置が変更される場合、新しい商品情報の入力を受けて表示される商品の情報をアップデートすることによって反復的に使用できるという長所がある。
【０００５】
一方、売り場で商品を購入する購買者が、陳列中の商品に対するより様々な情報を獲得しようとする要求が増えつつある。これを満たし商品の売上げを上げるために、電子値段表示機は単なる陳列商品の値段表示という水準を越え、陳列商品の原産地や容量、付加機能、エネルギー効率、バーコードといった様々な商品情報の表示が要求されている。
【０００６】
よって、このような様々な商品情報の表示が可能なより効率的に運用できる電子値段表示システムが要求されている。
【発明の概要】
【発明が解決しようとする課題】
【０００７】
本発明の目的は、様々な商品情報を表示するために、電子値段表示タグの効率的な管理及び運用が可能な電子値段表示システム及びこれに適用される商品と電子値段表示タグの同期化方法、並びに商品情報アップデート方法を提供することにある。
【課題を解決するための手段】
【０００８】
上記技術的課題を解決するための手段として、本発明は、商品に対する商品情報を保存する管理サーバ部と、上記管理サーバ部から商品情報を含むメッセージを受信する複数のゲートウェイを含むゲートウェイ部と、上記ゲートウェイとそれぞれ通信する複数の電子値段表示タグとを含み、上記複数の電子値段表示タグは、上記ゲートウェイから上記商品情報を受信してディスプレイする複数の電子値段表示タグ部を含み、上記管理サーバ部は、上記電子値段表示タグ部とこれに表示される商品情報とが相互連動するデータベースを含むことを特徴とする電子値段表示システムを提供する。
【０００９】
本発明の一実施形態は、上記ゲートウェイ部が上記管理サーバ部から上記メッセージを受信できるよう、上記管理サーバ部と上記ゲートウェイ部の間の通信チャンネルを形成するインターフェース部をさらに含むことができる。この実施形態において、上記インターフェース部と上記ゲートウェイ部は、有線ランまたは無線ラン方式で通信することができる。
【００１０】
本発明の一実施形態は、上記電子値段表示タグに表示される商品情報を管理するための管理者の入力を上記管理サーバ部に伝達する個人情報端末をさらに含むことができる。この実施形態においては、上記管理者の入力が上記管理サーバ部に伝達されるよう、上記個人情報端末と上記管理サーバ部の間の通信チャンネルを形成するインターフェース部をさらに含むことができる。この実施形態において、上記インターフェース部と上記個人情報端末は、有線ランまたは無線ラン方式で通信することができる。
【００１１】
本発明の一実施形態において、上記ゲートウェイと上記電子値段表示タグは、ジグビー（Ｚｉｇｂｅｅ）方式で無線通信することができる。
【００１２】
本発明の一実施形態において、上記ゲートウェイと上記電子値段表示タグは、受信するデータの有無を表示したウェイクアップ信号を伝送するための通信チャンネルと、上記商品情報を有するデータを伝送する通信チャンネルとを含む２つの通信チャンネルを用いて通信することができる。
【００１３】
本発明の技術的課題を解決するための他の手段として、本発明は、同期化対象となる商品を識別する情報と電子値段表示タグを識別する情報とを獲得するステップと、上記同期化対象となる商品を識別する情報と電子値段表示タグを識別する情報とを含む商品同期化要請メッセージを管理サーバに伝達するステップと、上記管理サーバ部で上記商品同期化要請メッセージに含まれた上記商品識別情報に該当する商品の商品情報を獲得し、上記獲得された商品情報と上記商品同期化要請メッセージに含まれた電子値段表示タグの識別情報とを含むタグ同期化要請メッセージを作成して伝送するステップと、上記タグ同期化要請メッセージをゲートウェイで受信し、上記ゲートウェイが上記タグ同期化要請メッセージに含まれた上記電子値段表示タグ識別情報を有する電子値段表示タグへ上記タグ同期化要請メッセージに含まれた上記商品情報を伝送するステップと、上記電子値段表示タグに伝送された上記タグ同期化要請メッセージに含まれた上記商品情報を表示するステップとを含む電子値段表示システムにおける商品と電子値段表示タグの同期化方法を提供する。
【００１４】
本発明の一実施形態において、上記同期化対象となる商品を識別する情報は、上記同期化対象となる商品に記載のバーコードをスキャンすることによって獲得されることができる。
【００１５】
本発明の一実施形態において、上記同期化対象となる電子値段表示タグを識別する情報は、上記同期化対象となる電子値段表示タグのＭＡＣアドレスであることができる。
【００１６】
本発明の技術的課題を解決するためのさらに他の手段として、本発明は、商品の商品情報に対するアップデート要請が発生したか否かを確認するステップと、管理サーバ部で、上記アップデート要請が発生した商品に対する新しい商品情報と上記アップデート要請が発生した商品に対する商品情報を表示する電子値段表示タグに対する識別情報とを含む商品情報変更要請メッセージを作成して伝送するステップと、上記商品情報変更要請メッセージをゲートウェイで受信し、上記ゲートウェイが上記商品情報変更要請メッセージに含まれた上記電子値段表示タグ識別情報を有する電子値段表示タグへ上記商品情報変更要請メッセージに含まれた上記商品情報を伝送するステップと、上記電子値段表示タグに伝送された上記タグ同期化要請メッセージに含まれた上記商品情報を表示するステップとを含む電子値段表示システムにおける商品情報アップデート方法を提供する。
【００１７】
本発明の一実施形態において、上記商品情報に対するアップデート要請は周期的に発生することができる。
【００１８】
本発明の一実施形態において、上記アップデート要請が発生した商品に対する商品情報を表示する電子値段表示タグに対する識別情報は、上記アップデート要請が発生した商品に対する商品情報を表示する電子値段表示タグのＭＡＣアドレスであることができる。
【発明の効果】
【００１９】
本発明によると、様々な商品の情報を電子値段表示タグに効率的に表示することができる。即ち、商品−電子値段表示タグの同期化過程や商品情報のアップデート過程にかかる時間及び人力を節減することができ、電子値段表示タグを周期的に管理することによって商品情報表示のエラーを最小化することができる。さらに、売り場における物流管理の自動化だけでなく、最先端のイメージを消費者にアピールする効果も期待できる。
【図面の簡単な説明】
【００２０】
【図１】本発明の一実施形態による電子値段表示システムのブロック構成図である。
【図２】本発明の一実施形態による電子値段表示システムが実際の売り場に適用された形態を示した図面である。
【図３】本発明の一実施形態による電子値段表示システムに適用された商品情報同期化過程を示した流れ図である。
【図４】本発明の一実施形態による電子値段表示システムに適用された商品情報アップデート過程を示した流れ図である。
【発明を実施するための形態】
【００２１】
以下、添付の図面を参照して本発明の実施形態を詳しく説明する。しかし、本発明の実施形態は様々な他の形態に変形されることができ、本発明の範囲が以下に説明する実施形態に限定されるのではない。本発明の実施形態は当業界において通常の知識を有している者に本発明をより完全に説明すべく提供されるものである。従って、図面における要素の形状及び大きさなどは説明をより明確にするために誇張されることがある。
【００２２】
図１は、本発明の一実施形態による電子値段表示システムのブロック構成図である。
【００２３】
図１に示したように、本発明の一実施形態による電子値段表示システムは、管理サーバ部１０、インターフェース部２０、ゲートウェイ部３０及び電子値段表示タグ部５０を含んで構成される。
【００２４】
上記管理サーバ部１０は、売り場に陳列される商品に対する商品情報を保存及び管理するデータベースサーバで具現されることができる。上記管理サーバ部は、商品情報の保存だけではなく、売り場を運用するのに必要な様々な情報を保存することができる。また、上記管理サーバ部１０は、電子値段表示タグ５１に表示される商品情報の同期化、更新及び変更といった様々な機能を行うための命令メッセージを作成し管理できる。そのため、上記管理サーバ部１０は電子値段表示タグ５１とこれに表示される商品情報に対するデータベースを備えることができる。即ち、電子値段表示タグ５１に対する識別情報と該電子値段表示機に表示される商品情報を相互連動して保存したデータベースを備えることができる。
【００２５】
上記インターフェース部２０は、上記管理サーバ部１０から発生する命令メッセージ（例えば、商品情報変更メッセージ、管理情報取得メッセージなど）がリアルタイムでゲートウェイ部３０に伝送されるよう管理サーバ部１０とゲートウェイ部３０の間の通信チャンネルを形成する機能を行うことができる。例えば、上記インターフェース部２０は、上記管理サーバ部１０から発生するメッセージを、ゲートウェイ部３０との通信に使う予め設定された通信方式に適切なパケットで構成し、これを伝送する機能を行うことができる。また、ゲートウェイ部３０から伝達される受信確認メッセージを予め設定された通信方式で入力を受け、これを管理サーバ部１０が受信可能なメッセージに変換して伝達することによって 後続動作に進むことができる。上記インターフェース部２０と上記ゲートウェイ部４０の通信方式としては、有線ランまたは無線ラン方式（即ち、ＩＥＥＥ８０２．１１ｂ，ｇ，ｎ）を使用されることができる。
【００２６】
上記ゲートウェイ部４０は、上記管理サーバ部１０と通信する複数のゲートウェイ４１を含んで構成されることができる。上記ゲートウェイ部４０のゲートウェイ４１は、上記管理サーバ部１０から受信されたデータを分析し、自身と通信する電子値段表示タグ５１に伝達するメッセージまたはデータが存在するか否かを確認し、確認されたメッセージやデータを該電子値段表示タグ５１に伝達する役割を果たす。上記ゲートウェイ４１は、上記電子値段表示タグ５１に伝達するメッセージを予め設定された通信方式に従ってパケットで構成し、これを電子値段表示タグ５１に伝送することができる。また、上記ゲートウェイ４１は、電子値段表示タグ５１から受信される受信確認メッセージをサーバに伝達することができる。上記ゲートウェイ４１と上記電子値段表示タグ５１の間の通信方式としては、１つのゲートウェイ４１を通じて数多くの電子値段表示タグ５１が通信できるようにジグビー（Ｚｉｇｂｅｅ、即ち、ＩＥＥＥ８０２．１５．４）方式の無線通信方式を適用できる。
【００２７】
上記電子値段表示タグ部５０は、上記ゲートウェイ４１から受信した商品情報に対するデータをディスプレイに表示し、データ受信による動作結果をゲートウェイ４１に伝送する複数の電子値段表示タグ５１を含むことができる。１つの電子値段表示タグ部５０に含まれた複数の電子値段表示タグ５１は１つのゲートウェイ４１と通信することができる。前述したように、１つのゲートウェイ４１と複数の電子値段表示タグ５１が通信できるようにジグビー方式の無線通信方式が適用でき、これをさらに効率的に具現するために、ゲートウェイと電子値段表示タグ間の通信においてウェイクアップチャンネル及びデータチャンネルの２つのチャンネルに分離した通信運用が行われることができる。電子値段表示タグ部５０は、外部から常時電源供給が困難な環境に配置されるため、バッテリーを使って電源を供給する。したがって、一度のバッテリー交換で数年以上の長時間使用するために電力消耗を最小化することが重要であり、これは主にウェイクアップ方式を使って運用される。即ち、上記電子値段表示タグ５１は、予め設定された時間を与えることにウェイクアップして自身が受信するデータがあるか否かを確認し、受信するデータがないと確認される電源をオフして次のウェイクアップ周期まで電力消耗を最小化し、受信するデータがあると確認される場合にのみ、通信に必要な電力を供給してデータを受信するように動作することができる。本発明は、このようなウェイクアップ方式の運用をさらに効率化するため、ウェイクアップに使われる通信チャンネルとデータ伝送に使われる通信チャンネルを分離して運用することができる。即ち、受信するデータの有無を表示したウェイクアップ信号を伝送するための通信チャンネルと、実際のディスプレイに使われるデータを伝送するチャンネルを別に運用することができる。
【００２８】
本発明の他の実施形態は、ユーザが管理サーバ部１０と直接通信できる個人情報端末（ＰＤＡ）３０をさらに含むことができる。上記個人情報端末（ＰＤＡ）３０は、陳列される商品とそれに対する商品情報を表示する電子値段表示タグとの同期化や、現在表示中の商品とそれに同期化された電子値段表示タグとの間の非活性化のためのユーザの入力を管理サーバ部１０に伝達することができる。
【００２９】
図２は、本発明の一実施形態による電子値段表示システムが実際の売り場に適用された形態を示した図面である。
【００３０】
図２に示したように、商品が陳列される棚にはその商品に対する商品情報を表示する電子値段表示タグ５１が配置され、電子値段表示タグ５１は売り場の一定の位置に配置されるゲートウェイ４１と通信しながら値段情報を変更したり、活性化または非活性化することができる。売場の管理者は個人情報端末３０を用いて商品と電子値段表示タグ５１間の同期化や情報の修正などに対する指示を管理サーバ部に伝達することができる。
【００３１】
以下に、前述したように構成される本発明の実施形態による電子値段表示システムの運用方法についてさらに詳しく説明する。
【００３２】
先ず、電子値段表示システムの運用方法のうち、陳列される商品とそれに対する情報を表示するための電子値段表示タグとの同期化過程について説明する。図３は、本発明の一実施形態による電子値段表示システムに適用された商品情報同期化過程を示した流れ図である。
【００３３】
図１から図３を参照すると、同期化のために、売場の管理者は個人情報端末（ＰＤＡ）を用いて商品を識別する情報と該商品を表示する電子値段表示タグを識別する情報を先に獲得できる（Ｓ３１）。商品を識別する情報は商品に記載のバーコードをスキャンすることによって獲得でき、タグを識別する情報は該タグのＭＡＣアドレスが識別情報になり得る。このような商品識別情報及びそれに対する電子値段表示タグの識別情報の獲得は、同期化しようとする商品とタグの数だけ繰り返して行われることができる。
【００３４】
同期化しようとする商品とタグが追加的に存在するか否かを判断し（Ｓ３２）、同期化対象がそれ以上存在しない場合に上記商品識別情報及びそれに対する電子値段表示タグの識別情報を含む商品同期化要請メッセージを管理サーバ部１０に伝達する（Ｓ３３）。このような商品同期化要請メッセージの伝達過程において、管理者の個人情報端末３０をインターフェース部２０と無線ラン（ＩＥＥＥ  ８０２．１１ｂ，ｇ，ｎ）方式で通信経路を構成して無線通信することができ、インターフェース部２０は個人情報端末３０との通信を通じて受信した商品同期化要請メッセージを管理サーバ部１０に伝達することができる。
【００３５】
上記管理サーバ部１０は、商品同期化要請メッセージに含まれた商品識別情報を用いて同期化しようとする商品がどのような商品であるのかを確認し、該商品に対する商品情報をデータベースの検索により獲得する。次いで、上記管理サーバ部１０は、検索された商品情報と上記商品同期化要請メッセージに含まれた電子値段表示タグの識別情報を含むタグ同期化要請メッセージを作成して伝送する（Ｓ３４）。上記管理サーバ部１０で伝送するタグ同期化要請メッセージは、先ずインターフェース部２０に伝達でき、インターフェース部２０は予め設定された通信方式（例えば、有線ランまたはＩＥＥＥ８０２．１１ｂ，ｇ，ｎ）によってゲートウェイ部４０とのデータ送受信が可能な通信経路を構成した後、その構成された通信経路を介してタグ同期化要請メッセージをゲートウェイ部４０に伝達することができる。
【００３６】
上記ゲートウェイ部４０のゲートウェイ４１はタグ同期化要請メッセージを受信し、該タグ同期化要請メッセージに含まれた電子値段表示タグ識別情報が自分のネットワークを形成して通信する電子値段表示タグであるか否かを確認する。自分のネットワークに含まれた電子値段表示タグと確認されると、ゲートウェイは該電子柄表示タグ識別情報（ＭＡＣアドレス）を有する電子値段表示タグに上記タグ同期化要請メッセージに含まれた商品情報を伝送する（Ｓ３５）。前述したように、本発明の一実施形態によると、ゲートウェイと電子値段表示タグの通信はウェイクアップチャンネルとデータチャンネルの２つのチャンネルで行われることができるため、上記ゲートウェイ４１はウェイクアップチャンネルを用いて電子値段表示タグに受信データが存在することを知らせて活性化させた後、データチャンネルを用いて上記タグ同期化要請メッセージに含まれた商品情報を伝送することができる。
【００３７】
最終的に、上記電子値段表示タグ５１は、伝達された商品情報を表示するようにアップデートされることによって商品と電子値段表示タグとの同期化が完了する（Ｓ３６）。上記電子値段表示タグ５１は、伝達された商品情報の表示が成功して完了したことを確認する確認メッセージを伝送することができ、該確認メッセージはゲートウェイ４１及びインターフェース部２０を経て管理サーバ部１０に伝達されることができる。上記管理サーバ部１０に、このような確認メッセージが伝達されない場合、前述した過程（Ｓ３４〜Ｓ３６）を繰り返して電子値段表示タグとの同期化を再度試みることができる。
【００３８】
次に、電子値段表示システムの運用方法のうち、陳列する商品の商品情報を更新する電子値段表示タグの商品情報アップデート過程について説明する。図４は、本発明の一実施形態による電子値段表示システムに適用された商品情報アップデート過程を示した流れ図である。
【００３９】
図１、図２及び図４を参照すると、商品情報に対するアップデート要請が発生したか否かを確認するステップ（Ｓ４１）から商品情報アップデートの過程が開始される。上記商品に対するアップデートの要請は、管理者が管理サーバ部１０に商品情報アップデートを直接指示することによって行われたり、ユーザが設定した周期によって定期的に行われたり、商品情報データベースの変動が発生する場合に自動的に発生することもある。
【００４０】
電子値段表示タグ５１に対するアップデート要請が発生する場合、管理サーバ部１０は、データベースを検索して、アップデート要請が発生した商品に対する新しい商品情報とアップデート要請が発生した商品に対する商品情報を表示する電子値段表示タグに対する識別情報（ＭＡＣアドレス）を含む商品情報変更要請メッセージを作成することができる。インターフェース部２０はゲートウェイ部３０と形成された通信経路を経て予め設定された通信方式で上記商品情報変更要請メッセージを上記ゲートウェイ部３０に伝達する（Ｓ４２）。
【００４１】
上記ゲートウェイ部４０のゲートウェイ４１は商品情報変更要請メッセージを受信し、該商品情報変更要請メッセージに含まれた電子値段表示タグ識別情報が自分のネットワークを形成して通信する電子値段表示タグであるか否かを確認する。自分のネットワークに含まれた電子値段表示タグであると確認される場合は、ゲートウェイは該電子値段表示タグ識別情報（ＭＡＣアドレス）を有する電子値段表示タグへ上記商品情報変更要請メッセージに含まれた商品情報を伝送する（Ｓ４３）。前述したように、本発明の一実施形態によると、ゲートウェイと電子値段表示タグの通信は、ウェイクアップチャンネルとデータチャンネルの２つのチャンネルによって行われることができるため、上記ゲートウェイ４１はウェイクアップチャンネルを用いて電子値段表示タグに受信データが存在することを知らせて活性化させた後、データチャンネルを用いて上記商品情報変更要請メッセージに含まれた商品情報を伝送することができる。
【００４２】
最終的に、上記電子値段表示タグ５１は、伝達された新しい商品情報を表示するようにアップデートされることによって商品情報のアップデートが完了する（Ｓ４４）。上記商品情報同期化過程で説明したように、上記電子値段表示タグ５１は、伝達された商品情報の表示が成功して完了したことを確認する確認メッセージを伝送することができ、該確認メッセージはゲートウェイ４１及びインターフェース部２０を経て管理サーバ部１０に伝達することができる。上記管理サーバ部１０に、このような確認メッセージが伝達されない場合、前述した過程（Ｓ４２〜Ｓ４４）を繰り返して電子値段表示タグとの同期化を再度試みることができる。
【００４３】
以上で説明したように、本発明の一実施形態による電子値段表示システム、及びこれに適用される商品−電子値段表示タグの同期化方法、並びに商品情報アップデート方法によると、様々な商品の情報を電子値段表示タグに効率的に表示させることができる。即ち、商品−電子値段表示タグの同期化過程や商品情報アップデート過程において必要な時間及び人力を節減することができ、周期的に電子値段表示タグを管理することによって商品情報表示のエラーを最小化することができる。さらに、売り場における物流管理の自動化だけでなく、最先端のイメージを消費者にアピールする効果も期待できる。
【００４４】
本発明の詳細な説明では具体的な実施例を挙げて説明してきたが、本発明の技術的な思想を外れない範囲内では、多様な変化及び変形が実施可能であるということは、通常な知識を有する者ならば自明に分かるであろう。従って、本発明の範囲は前述した実施の形態によって定められてはならず、特許請求の範囲と均等なものによって定められるべきである。
【符号の説明】
【００４５】
１０  管理サーバ部
２０  インターフェース部
３０  個人情報端末（ＰＤＡ）
４０  ゲートウェイ部
４１  ゲートウェイ
５０  電子値段表示（ＥＳＬ）タグ部
５１  電子値段表示（ＥＳＬ）タグ
【図１】
2011210227.tif 000003
【図２】
2011210227.tif 000004
【図３】
2011210227.tif 000005
【図４】
2011210227.tif 000006